(57)【特許請求の範囲】
【請求項１】
吸収体を含む吸収性本体と、この吸収性本体の外面側に一体的に設けられた外装シートとからなり、製品状態で前記外装シートの前身頃と後身頃とが両側部において接合されることによりウエスト開口部及び左右一対のレッグ開口部が形成された使い捨て紙おむつにおいて、
前記外装シートは、前記ウエスト開口部回りに配置されたウエスト部弾性部材を有するとともに、前身頃において、前身頃と後身頃とを接合する一方側接合縁から略水平若しくは緩勾配で中心側に延び、一方側鼠蹊部領域近傍で進路を大きく変更して急勾配で股下側に延び、股下部で迂回した後、他方側鼠蹊部領域近傍で急勾配でウエスト側に延びた後、進路を大きく変更して略水平若しくは緩勾配で前身頃と後身頃との他方側接合縁に到達するとともに、互いに交差することなく間隔をおいて配置された複数本の腹側湾曲弾性部材群を備え、かつ前記腹側湾曲弾性部材群の内の一部は、股下部の折畳み線を越えて陰嚢部と肛門部との間の領域を迂回しており、前身頃側において前記吸収性本体内の両側部領域に高い弾性力を示す高弾性帯が形成されているとともに、前記陰嚢部と肛門部との間の領域に高い弾性力を示す高弾性帯が形成されていることを特徴とするパンツ型使い捨ておむつ。
【請求項２】
前記外装シートの前身頃及び／又は後身頃において、上下方向に間隔をおいて水平方向に沿って配置された複数の腰回り弾性部材を有する請求項１記載のパンツ型使い捨ておむつ。
【請求項３】
前記腹側湾曲弾性部材群の始終端は、前身頃と後身頃との接合縁の内、ウエスト部を除くほぼ上部位置から下部位置の範囲に亘り所定の間隔で接続されている請求項１〜２いずれかに記載のパンツ型使い捨ておむつ。
【請求項４】
後身頃において、前身頃と後身頃とを接合する一方側接合縁から股下側に延び、股下側を迂回して前身頃と後身頃との他方側接合縁に到達するとともに、互いに交差することなく間隔をおいて配置された複数本の背側湾曲弾性部材群を備え、これら背側湾曲弾性部材群の内の一部と、前記腹側湾曲弾性部材群の内、股下部の折畳み線を越えて迂回している腹側湾曲弾性部材とが、ほぼ陰嚢部と肛門部との間の領域で交差している請求項１〜３いずれかに記載のパンツ型使い捨ておむつ。
【請求項５】
前記腹側湾曲弾性部材群の内、最もウエスト側に位置する弾性部材は、おむつ長手方向中心線上において、股下部の折畳み線から腹側に距離が５０mm以上の位置を迂回している請求項１〜４いずれかに記載のパンツ型使い捨ておむつ。
【請求項６】
前記吸収性本体と重なる外装シート領域において、前記腹側湾曲弾性部材及び背側湾曲弾性部材による単位面積当たりの伸縮力は、陰嚢部と肛門部との間の領域＞腹側部分＞背側部分の関係とされる請求項１〜５いずれかに記載のパンツ型使い捨ておむつ。
【発明の詳細な説明】
【技術分野】
【０００１】
本発明は、男性の失禁に配慮したパンツ型使い捨ておむつに関する。
【背景技術】
【０００２】
従来より、パンツ型使い捨ておむつでは、体液の吸収を図る吸収体を身体に装着するため、前記吸収体を保持する不織布などに対して弾性伸縮部材を配設し、身体へのフィット性を向上させるようにしている。
【０００３】
また、下記特許文献１では、図５に示されるように、液透過性のトップシートと、液不透過性のバックシートと、これら両シートの間に配置された吸収体からなる吸収性本体と、吸収性本体が接合され、着用者に吸収性本体を当てて保持する外装部材５０とからなり、外装部材５０の前身頃と後身頃の相対する両側縁部を接合してウエスト周り開口部と一対の脚周り開口部を形成し、前記開口部に沿って伸縮弾性部材が配置されたパンツ型使い捨ておむつにおいて、前記外装部材５０の前身頃側には、一方の側縁部から股下部を経て他方の側縁部に至る複数本の伸縮弾性材料からなる第１伸縮弾性部材５１，５１…が配置され、そのうちの少なくとも一部分が前記脚周り開口部に沿って配置されており、前記外装部材の後身頃側には、一方の側縁部から股下部を経て他方の側縁部に至る複数本の伸縮弾性材料からなる第２伸縮弾性部材５２，５２…が配置され、そのうちの少なくとも一部分が前記脚周り開口部に沿って配置されているパンツ型使い捨ておむつが開示されている。
【特許文献１】特開平１１−３６１０３号公報
【発明の開示】
【発明が解決しようとする課題】
【０００４】
ところで、大人用のパンツ型使い捨ておむつでは、着用者が男性の場合、陰茎の向きが横を向いている状態の時に排尿が行われると漏れが生じ易いことが知見された。そのため、テープ止めのおむつを別に使用したり、陰茎に巻き付けるタイプの吸収パッドを使用したりすることが行われていた。
【０００５】
しかしながら、これらは装着者が違和感を感じ不快感を増すことになるとともに、着用者の尊厳を損なうことになっていた。また、蒸れやカブレが生じ易いとともに、トイレでの着脱が非常に困難になるなどの問題があった。
【０００６】
上記特許文献１記載のパンツ型使い捨ておむつでは、股下前側位置で第１伸縮弾性部材５１，５１…が横断し、両側部では脚周りに沿って前記第１伸縮弾性部材５１，５１…が配置されていることにより、ある程度の男性器へのフィット性は確保し得るものの、未だ十分なものとは言えない。
【０００７】
そこで本発明の課題は、特に男性の失禁による漏れを確実に防止するようにしたパンツ型使い捨ておむつを提供することにある。
【課題を解決するための手段】
【０００８】
前記課題を解決するために請求項１に係る本発明として、吸収体を含む吸収性本体と、この吸収性本体の外面側に一体的に設けられた外装シートとからなり、製品状態で前記外装シートの前身頃と後身頃とが両側部において接合されることによりウエスト開口部及び左右一対のレッグ開口部が形成された使い捨て紙おむつにおいて、
前記外装シートは、前記ウエスト開口部回りに配置されたウエスト部弾性部材を有するとともに、前身頃において、前身頃と後身頃とを接合する一方側接合縁から略水平若しくは緩勾配で中心側に延び、一方側鼠蹊部領域近傍で進路を大きく変更して急勾配で股下側に延び、股下部で迂回した後、他方側鼠蹊部領域近傍で急勾配でウエスト側に延びた後、進路を大きく変更して略水平若しくは緩勾配で前身頃と後身頃との他方側接合縁に到達するとともに、互いに交差することなく間隔をおいて配置された複数本の腹側湾曲弾性部材群を備え、かつ前記腹側湾曲弾性部材群の内の一部は、股下部の折畳み線を越えて陰嚢部と肛門部との間の領域を迂回しており、前身頃側において前記吸収性本体内の両側部領域に高い弾性力を示す高弾性帯が形成されているとともに、前記陰嚢部と肛門部との間の領域に高い弾性力を示す高弾性帯が形成されていることを特徴とするパンツ型使い捨ておむつが提供される。なお、本発明で「幅方向」又は「水平方向」とは、腹側部から股下部を挟んで背側部に亘る方向に略直交する方向である。また、上記「陰嚢部と肛門部との間の領域」とは個人差もあるが、前身頃と後身頃との折畳み線若しくはその近傍から背側に数cmの領域である。
【０００９】
上記請求項１に記載の発明は、腹側において、互いに交差することなく間隔をおいて配置された複数本の腹側湾曲弾性部材群の軌跡を、前身頃と後身頃とを接合する一方側接合縁から略水平若しくは緩勾配で中心側に延び、一方側鼠蹊部領域近傍で進路を大きく変更して急勾配で股下側に延び、股下部で迂回した後、他方側鼠蹊部領域近傍で急勾配でウエスト側に延びた後、進路を大きく変更して略水平若しくは緩勾配で前身頃と後身頃との他方側接合縁に到達し、かつ前記腹側湾曲弾性部材群の内の一部を、股下部の折畳み線を越えて陰嚢部と肛門部との間の領域を迂回する軌跡とした。
【００１０】
従って、陰嚢部及び陰茎部を囲む両側部及び後部ゾーンにおいて、弾性力を作用させ、前記陰嚢部及び陰茎部を保持するようにしたため、排尿が予定箇所に行われるようになるため、漏れを生じさせ難いものとなる。また、腹側湾曲弾性部材群の内の一部を、股下部の折畳み線を越えて陰嚢部と肛門部との間の領域を迂回させているため、尿が肛門部よりも背側に流れ難くしてあるため、背側からの漏れを防止できるようになる。
【００１１】
請求項２に係る本発明として、前記外装シートの前身頃及び／又は後身頃において、上下方向に間隔をおいて水平方向に沿って配置された複数の腰回り弾性部材を有する請求項１記載のパンツ型使い捨ておむつが提供される。
【００１２】
上記請求項２記載の発明は、外装シートの前身頃及び／又は後身頃において、上下方向に間隔をおいて水平方向に沿って配置された複数の腰回り弾性部材を備えるようにするものであり、この腰回り弾性部材により腰回りのフィット性が向上するようになる。
【００１３】
請求項３に係る本発明として、前記腹側湾曲弾性部材群の始終端は、前身頃と後身頃との接合縁の内、ウエスト部を除くほぼ上部位置から下部位置の範囲に亘り所定の間隔で接続されている請求項１〜２いずれかに記載のパンツ型使い捨ておむつが提供される。
【００１４】
上記請求項３記載の発明においては、腹側湾曲弾性部材を広い範囲に亘り配設するようにしているため、腰部回りにおけるフィット性が向上するとともに、装着時に前身頃と後身頃との接合縁を掴んで上側に引き上げた際、その作用力が前記腹側湾曲弾性部材に伝わり易く、おむつを上方向に引き上げ易くなる。
【００１５】
請求項４に係る本発明として、後身頃において、前身頃と後身頃とを接合する一方側接合縁から股下側に延び、股下側を迂回して前身頃と後身頃との他方側接合縁に到達するとともに、互いに交差することなく間隔をおいて配置された複数本の背側湾曲弾性部材群を備え、これら背側湾曲弾性部材群の内の一部と、前記腹側湾曲弾性部材群の内、股下部の折畳み線を越えて迂回している腹側湾曲弾性部材とが、ほぼ陰嚢部と肛門部との間の領域で交差している請求項１〜３いずれかに記載のパンツ型使い捨ておむつが提供される。
【００１６】
上記請求項４記載の発明は、背側湾曲弾性部材群の内の一部と、前記腹側湾曲弾性部材群の内、股下部の折畳み線を越えて迂回している腹側湾曲弾性部材とを、ほぼ陰嚢部と肛門部との間の領域で交差させるようにしたものであり、肛門部より背側に尿が流れ難くなる。
【００１７】
請求項５に係る本発明として、前記腹側湾曲弾性部材群の内、最もウエスト側に位置する弾性部材は、おむつ長手方向中心線上において、股下部の折畳み線から腹側に距離が５０mm以上の位置を迂回している請求項１〜４いずれかに記載のパンツ型使い捨ておむつが提供される。
【００１８】
上記請求項５記載の本発明は、換言すれば、陰茎部における腹側湾曲弾性部材群の配設範囲を規定したものであり、股下部の折畳み線から腹側に５０mm以上の範囲に亘り前記湾曲弾性部材が配置されていることにより陰茎部の保持が確実となる。
【００１９】
請求項６に係る本発明として、前記吸収性本体と重なる外装シート領域において、前記腹側湾曲弾性部材及び背側湾曲弾性部材による単位面積当たりの伸縮力は、陰嚢部と肛門部との間の領域＞腹側部分＞背側部分の関係とされる請求項１〜６いずれかに記載のパンツ型使い捨ておむつが提供される。
【００２０】
上記請求項６記載の発明は、換言すれば、吸収性本体と身体とのフィット性（密着感）を各領域毎に規定したものであり、前記腹側湾曲弾性部材及び背側湾曲弾性部材による単位面積当たりの伸縮力を、陰嚢部と肛門部との間の領域＞腹側部分＞背側部分とすることにより、尿の漏れを確実に防止できるようになる。
【発明の効果】
【００２１】
以上詳説のとおり本発明によれば、特に男性の失禁による漏れを確実に防止できるようになる。また、おむつ単体で尿漏れを防止できるため、テープ止めのおむつや陰茎巻き付けタイプの吸収パッドを併用する必要がないため、装着感も良好となるとともに、蒸れやカブレを防止でき、またトイレでの着脱も容易になるなどの利点がもたらされるようになる。
【発明を実施するための最良の形態】
【００２２】
以下に本発明を適用したパンツ型使い捨ておむつ１（以下、「おむつ」という）について、図１〜図４を用いて説明する。ここで、図１はおむつ１の製品状態斜視図、図２は分解図、図３は吸収性本体１０の平面図及び横断面図、図４は外装シート２０の展開図である。
【００２３】
図１及び図２に示すように、おむつ１は、透液性表面シート１１と防漏シート１２との間に吸収体１３が介在された吸収性本体１０と、この吸収性本体の外面側に一体的に設けられた外装シート２０とからなり、おむつ股下部で折り畳まれ、前記外装シート２０の腹側部と背側部とが両側部において接合されることにより、ウエスト開口部及び左右一対のレッグ開口部が形成されたパンツ型の使い捨ておむつである。
【００２４】
以下、前記吸収本体１０、外装シート２０、その組立て要領の順で説明する。
【００２５】
〔吸収性本体１０の構造〕
前記吸収性本体１０は、詳細には図３に示されるように、不織布などからなる透液性表面シート１１と、ポリエチレン等からなる防漏シート１２との間に、綿状パルプなどの吸収体１３を介在させた構造とされ、体液を吸収保持するものである。外装シート２０に対しては、図２に鎖線で示されるように、当該外装シート２０の腹側部２０Ａから両脚の間の股下部２０Ｂを通り背側部２０Ｃに亘る位置に装着されている。
【００２６】
前記吸収体１３は、例えば、綿やパルプ等の吸収性素材と高吸収性ポリマーとが組み合わされたものが好適に使用される。その幅寸法は股間部への当たりによって着用者にゴワ付き感を与えない寸法幅となっている。この吸収体１３は、形状保持と透液性表面シート１１を透過した体液の拡散性向上のためにクレープ紙１４によって囲繞されているのが望ましい。なお、前記吸収体１３としては、嵩を小さくできるエアレイド吸収体を用いるのが望ましく、また、吸収体１３は単層構造であっても良いし、複数層に分かれた構造でも構わない。
【００２７】
前記吸収体１３の表面側（肌当接面側）を覆う透液性表面シート１１としては、有孔または無孔の不織布や多孔性プラスチックシートなどが好適に用いられる。不織布を構成する素材繊維は、ポリエチレンまたはポリプロピレン等のオレフィン系、ポリエステル系、ポリアミド系等の合成繊維の他、レーヨンやキュプラ等の再生繊維、綿等の天然繊維とすることができ、スパンレース法、スパンボンド法、サーマルボンド法、メルトブローン法、ニードルパンチ法等の適宜の加工法によって得られた不織布を用いることができる。これらの加工法の内、スパンレース法は柔軟性、ドレープ性に富む点で優れ、サーマルボンド法は嵩高でソフトである点で優れている。透液性表面シート１１に多数の透孔を形成した場合には、尿などが速やかに吸収されるようになり、ドライタッチ性に優れたものとなる。
【００２８】
前記吸収体１３の裏面側（非肌当接面側）を覆う防漏シート１２は、ポリエチレンまたはポリプロピレンなどの不透液性プラスチックシートが用いられるが、近年はムレ防止の点から透湿性を有するものが好適に用いられる。この遮水・透湿性シートは、たとえばポリエチレンやポリプロピレン等のオレフィン樹脂中に無機充填材を溶融混練してシートを形成した後、一軸または二軸方向に延伸することにより得られる微多孔性シートであり、仮にシート厚が同じであれば無孔シートよりも剛性が低下するため、柔軟性の点で勝るものとなる。かかる防漏シート１２としては、排便や尿などの褐色が出ないように不透明のものを用いるのが望ましい。不透明化としては、プラスチック中に、炭酸カルシウム、酸化チタン、酸化亜鉛、ホワイトカーボン、クレイ、タルク、硫酸バリウムなどの顔料や充填材を内添してフィルム化したものが好適に使用される。
【００２９】
表面側両側部には立体ギャザーＢＳを形成するとともに、サイドフラップＳＦを形成するためのサイド不織布１５が設けられている。前記サイド不織布１５を構成する素材繊維としては、ポリエチレンまたはポリプロピレン等のオレフィン系、ポリエステル系、アミド系等の合成繊維の他、レーヨンやキュプラ等の再生繊維、綿等の天然繊維とすることができ、スパンボンド法、エアスルー法、メルトブローン法、ニードルパンチ法等の適宜の加工方法に得られた不織布を用いることができる。サイド不織布１５としては、重要視する機能の点から撥水処理不織布または親水処理不織布を使用することができる。たとえば、体液の浸透するのを防止する、あるいは肌触り感を高めるなどの機能を重視するならば、シリコン系、パラフィン系、アルキルクロミッククロリド系撥水剤などをコーティングした撥水処理不織布を用いることが望ましい。また、体液等の吸収性を重視するならば、合成繊維の製造過程で親水基を持つ化合物、例えばポリエチレングリコールの酸化生成物などを共存させて重合させる方法や、塩化第２スズのような金属塩で処理し、表面を部分溶解し多孔性とし金属の水酸化物を沈着させる方法等により合成繊維を膨潤または多孔性とし、毛細管現象を応用して親水性を与えた親水処理不織布を用いるようにすることが望ましい。
【００３０】
前記透液性トップシート１１は、吸収体１３側縁よりも若干外方に突出し、前記防漏シート１２と接合されている。前記サイド不織布１５は、前記吸収体１３の側縁部近傍よりも外側部分が外縁まで延び、前記防漏シート１２と接合され、この積層シート部分によってサイドフラップＳＦを構成している。サイドフラップＳＦにおいては、大腿部相当部位に略弧状の切欠き１７，１７が形成されている。
【００３１】
他方、前記サイド不織布１５の前記固着部よりも内方側の不織布シート部分によって表面側に起立する立体ギャザーＢＳが形成されている。この立体ギャザーＢＳは、吸収体１３の側縁近傍位置に起立端を有し、その先端が紙おむつ長手方向に沿って二重に折り返され、この折り返し部の内方に１本の弾性伸縮部材１６を、または必要により複数本の弾性伸縮部材を配設することにより、その伸縮力を利用して立体ギャザーＢＳを起立させるようになっている。
【００３２】
前記弾性伸縮部材１６としては、通常使用されるスチレン系ゴム、オレフィン系ゴム、ウレタン系ゴム、エステル系ゴム、ポリウレタン、ポリエチレン、ポリスチレン、スチレンブタジエン、シリコン、ポリエステル等の素材を用いることができる。
【００３３】
〔外装シート２０の構造〕
前記外装シート２０は、詳細には図２に示されるように、装着者の腹側に位置する腹側部２０Ａと、装着者の背側に位置する背側部２０Ｃと、前記腹側部２０Ａと前記背側部２０Ｃの間であって装着者の股下に位置する股下部２０Ｂとから構成され、全体として擬似砂時計状を成している。
【００３４】
前記外装シート２０は、上層不織布２２Ａ及び下層不織布２２Ｂとからなる２層構造の不織布積層シートとされ、前記上層不織布２２Ａと下層不織布２２Ｂとの間に各種弾性部材が配設され、伸縮性が付与されている。
【００３５】
本発明に係る外装シート２０においては、前記弾性部材として、図４に示される展開形状において、前記ウエスト開口部回り２３に配置されたウエスト部弾性部材２４，２４…と、前身頃Ｆ及び後身頃Ｂに、上下方向に間隔をおいて水平方向に沿って配置された複数の腰回り弾性部材群２５，２５…とを有するとともに、前身頃Ｆ及び後身頃Ｂのそれぞれにおいて、前記腰回り弾性部材群２５，２５…とは別に、前身頃Ｆと後身頃Ｂとを接合する一方側接合縁から股下側に延び、股下側を迂回して前身頃と後身頃との他方側接合縁に到達するとともに、互いに交差することなく間隔をおいて配置された複数本の湾曲弾性部材群２６…、２８…を備えるものである。
【００３６】
以下、前記各種弾性部材毎に詳述する。
【００３７】
前記ウエスト部弾性部材２４，２４…は、前身頃Ｆと後身頃Ｂとが接合された脇部接合縁２１、２２の範囲の内、ウエスト開口縁近傍に上下方向に間隔をおいて配設された複数条の糸ゴム状弾性部材であり、身体のウエスト部回りを締め付けるように伸縮力を与えることにより紙おむつを身体に装着するためのものである。このウエスト部弾性部材２４は、図示例では糸ゴムを用いたが、例えばテープ状の伸縮部材を用いてもよい。
【００３８】
前記腰回り弾性部材群２５，２５…は、脇部接合縁２１、２２の内、ウエスト部を除くほぼ上部位置から脇部接合縁２１、２２の中間位置までの範囲に亘り、上下方向に間隔をおいて水平方向に沿って配設された糸ゴム状の弾性部材であり、前身頃Ｆ及び後身頃Ｂの腰回り部分に夫々水平方向の伸縮力を与え、紙おむつを身体に密着させるためのものである。なお、前記ウエスト部弾性部材２４、２４…と腰回り弾性部材群２５、２５…との境界は必ずしも明確でなくてよい。例えば、前身頃Ｆ及び後身頃Ｂに上下方向に間隔をおいて水平方向に配置された弾性部材の内、数は特定できなくても、上部側の何本かがウエスト部弾性部材として機能し、残りの弾性部材が腰回り弾性部材として機能していればよい。
【００３９】
前記外装シート２０の前身頃Ｆにおいて、前記腰回り弾性部材群２５，２５…とは別に配設された腹側湾曲弾性部材群２８，２８…は、前身頃Ｆと後身頃Ｂとを接合する一方側接合縁２１から略水平若しくは緩勾配で中心側に延び、一方側鼠蹊部領域近傍で進路を大きく変更して急勾配で股下側に延び、股下部で迂回した後、他方側鼠蹊部領域近傍で急勾配でウエスト側に延びた後、進路を大きく変更して略水平若しくは緩勾配で前身頃Ｆと後身頃Ｂとの他方側接合縁２１に到達するとともに、互いに交差することなく間隔をおいて配置された複数本の、図示例では２０本程度の糸状弾性部材である。
【００４０】
前記腹側弾性部材群２８，２８…の始終端は、前身頃Ｆと後身頃Ｂとの脇部接合縁２１の内、ウエスト部を除くほぼ上部位置から下部位置の範囲に亘り、所定の間隔で接続されている。
【００４１】
前記腹側弾性部材２８、２８…は、一方側接合縁２１から略水平若しくは緩勾配で中心側に延びた後、一方側鼠蹊部領域近傍（以下、鼠蹊部ゾーンＺ１ともいう。）で進路を大きく変更して急勾配で股下側に延びている。この鼠蹊部ゾーンＺ１では、急勾配で股下側に延びることにより、弾性部材の線密度が上がり（間隔が小）、高い弾性力を示す高弾性帯が形成されている。また、他方側鼠蹊部領域近傍（以下、鼠蹊部ゾーンＺ２ともいう。）では、股下を迂回した腹側湾曲弾性部材２８，２８…が急勾配でウエスト側に延びることにより、弾性部材の線密度が上がり（間隔が小）、高い弾性力を示す高弾性帯が形成されている。
【００４２】
また、股下部においては、前記腹側湾曲弾性部材２８，２８…群の内の一部が、股下部の折畳み線ＣＬを越えて陰嚢部と肛門部との間の領域（会陰ゾーンＺ３ともいう。）を迂回しているため、ここでも高い弾性力を示す高弾性帯が形成されている。
【００４３】
従って、陰嚢部及び陰茎部を囲むゾーン（Ｚ１〜Ｚ３）において、腹側湾曲弾性部材２８，２８…の弾性力を効果的に作用させ、前記陰嚢部及び陰茎部を保持するようにしたため、排尿が予定箇所に行われるようになり、尿漏れを生じさせ難いものとなる。また、腹側湾曲弾性部材２８，２８…群の内の一部を、股下部の折畳み線ＣＬを越えて陰嚢部と肛門部との間の領域（会陰ゾーンＺ３）を迂回させているため、尿が肛門部よりも背側に流れ難くなり、背側からの漏れを防止できるようになる。
【００４４】
前記腹側湾曲弾性部材２８、２８…の内、最もウエスト側に位置する弾性部材２８１は、おむつ長手方向中心線上において、股下部の折畳み線ＣＬからの距離ＭＦが５０mm以上の位置を迂回していることが望ましい。すなわち、股下部の折畳み線ＣＬから腹側に５０mm以上の範囲に亘り前記湾曲弾性部材２８，２８…が配置されていることにより陰茎部の保持が確実となる。
【００４５】
前記腹側弾性部材群２８，２８…の始終端は、前身頃Ｆと後身頃Ｂとの脇部接合縁２１の内、ウエスト部を除くほぼ上部位置から下部位置の範囲に亘り、股下側では上記範囲に亘り配置されることにより、尿の漏れを確実に防止できるようになるが、それと同時に、脇部接合縁２１の広い範囲に亘って配置されることにより、装着に際して着用者がウエスト部の脇をもって上方に引き上げた際、前記腹側湾曲弾性部材２８、２８…の弾性力によって紙おむつの前身頃Ｆ側を上方に引上げ易くなり、穿き易さが向上するようになる。
【００４６】
一方、前記後身頃Ｂにおいて、前記腰回り弾性部材群２５，２５…とは別に配設された背側湾曲弾性部材群２６、２６…は、一方側の脇部接合縁２２からほぼ脚回りカットライン２９に沿うように股下部に延び、股下部を迂回して反対側の脚回りカットライン２９にほぼ沿いながら他方側の脇部接合縁２２に到達するように配置された複数本、図示例では１９本程度の糸ゴム状弾性部材であり、これら背側湾曲弾性部材群２６、２６…は互いに交差することなく、間隔をおいて配置されている。
【００４７】
前記背側湾曲弾性部材群２６，２６…の始終端は、前身頃Ｆと後身頃Ｂとの接合縁２２のウエスト部を除くほぼ上部位置から下部位置の範囲に亘り所定の間隔で接続されている。
【００４８】
そして、これら背側湾曲弾性部材群２６，２６…の内の一部と、前記腹側湾曲弾性部材群２８，２８…の内、股下部の折畳み線ＣＬを越えて迂回している腹側湾曲弾性部材２８，２８…とが、ほぼ陰嚢部と肛門部との間の領域、すなわち会陰部ゾーンＺ３で交差するようになっている。従って、前記会陰部ゾーンＺ３では、より一層のフィット性が得られるようになり、背側からの尿漏れが防止されるようになる。
【００４９】
また、背側湾曲弾性部材２６，２６…が脇部接合縁２２の広い範囲に亘って配置されることにより、装着に際して着用者がウエスト部の脇を掴んで上方に引き上げた際、前記背側湾曲弾性部材２６、２６…の弾性力によって紙おむつの後身頃Ｂ側を上方に引上げ易くなり、穿き易さが向上するようになる。
【００５０】
ところで、前記吸収性本体１０と重なる外装シート２０領域において、前記腹側湾曲弾性部材２８，２８…及び背側湾曲弾性部材２６，２６…による単位面積当たりの伸縮力は、陰嚢部と肛門部との間の領域＞腹側部分＞背側部分の関係とするのが望ましい。すなわち、腹側湾曲弾性部材２８，２８…の単位面積当たりの伸縮力を背側湾曲弾性部材２６，２６…の単位面積当たりの伸縮力よりも大きく設定することにより、先ず、前記陰嚢部と肛門部との間の領域で尿の背側への流れを止め、次に腹側からの漏れを止めるようにするのが望ましい。
【００５１】
（紙おむつの組立）
前記吸収性本体１０と外装シート２０とは、図２に示されるように、外装シート２０の上面側に吸収性本体１０がホットメルト等の接着剤によって接着され一体化される。そして、吸収性本体１０および外装シート２０を折畳み線ＣＬで前後方向に折り畳み、その両側部を相互に熱溶着またはホットメルト接着剤などによって接合されることによりパンツ型紙おむつ１に組み立てられる。
【００５２】
〔他の形態例〕
本発明は、上記実施形態に限定されることなく、本発明の趣旨を逸脱しない範囲において、種々の改良並びに設計の変更を行っても良い。例えば、
(1)上記形態例では、腰回り弾性部材２５，２５…をウエスト部を除くほぼ上部位置から脇部接合縁２１、２２の中間位置までの範囲に亘り配設したが、脇部接合２１，２２の内、ウエスト部を除くほぼ上部位置から下部位置の範囲に亘り広く配置するようにしてもよい。
(2)上記形態例では、腰回りのフィット性を向上させるべく、前身頃Ｆ及び後身頃Ｂのそれぞれにおいて、腰回り弾性部材群２５，２５…を配設するようにしたが、前身頃Ｆ又は後身頃Ｂの一方側にのみ配設するようにしてもよいし、場合によっては省略が可能である。
【図面の簡単な説明】
【００５３】
【図１】おむつ１の製品状態斜視図である。
【図２】おむつ１の組立て要領を示す斜視図である。
【図３】吸収性本体１０を示す、(A)は平面図、(B)は横断面図（B-B断面）である。
【図４】外装シート２０の展開図である。
【図５】従来の使い捨ておむつの展開図である。
【符号の説明】
【００５４】
１…おむつ、１０…吸収性本体、１１…透液性表面シート、１２…防漏シート、１３…吸収体、１４…クレープ紙、１５…サイド不織布、２０…外装シート、２０Ａ…腹側部、２０Ｂ…股間部、２０Ｃ…背側部、２９…脚回りカットライン、２２Ａ…上層不織布、２２Ｂ…下層不織布、２４…ウエスト部弾性部材、２５…腰回り弾性部材、２８…腹側湾曲弾性部材、２６…背側湾曲弾性部材
【図１】
0004584806.tif 000002
【図２】
0004584806.tif 000003
【図３】
0004584806.tif 000004
【図４】
0004584806.tif 000005
【図５】
0004584806.tif 000006